(57)【要約】【課題】解決しようとする課題は、自動二輪車・自転車等に、外形を損なわず走行に不安定さをもたせない、盗難等から収納物を守ることの出来る新たな保管収納スペースを作り出す事である。【解決手段】本発明は、自動二輪車・自転車等の前後用カゴの底部に、施錠することにより引き出し不可能となる引き出し式収納ケースを設けたカゴ一体型収納ケースを提供する事により、緊急用の非常用予備雨具（雨合羽等）の保管、走行時にのみ着用する衣類等の一時保管、走行時の貴重品保管に最適な収納ケース付きカゴを提供する。【選択図】　　　図５
2004067007.tif 000002
【特許請求の範囲】
【請求項１】
自動二輪車・自転車等に装着する前カゴ・後カゴの底部に、引き出し式で入り口部に鍵を設けた収納ケースを設けることにより、常備用雨具（雨合羽等）の保管を可能とし、又、夏場での走行時に日焼け予防用に着用するブラウスや長手袋等の保管場所、あるいは走行中のひったくりから貴重品等を守るための保管場所として最適な収納スペースを作り出したことを特徴とする雨具等収納ケース付きカゴ。
【請求項２】
底部に水抜き穴を設ける事により、引き出し収納ケース内に雨水等が溜まるのを防ぎ、蒸れ、温度上昇をも緩和する事を特徴とする、請求項１に記載の雨具等収納ケース付きカゴ。
【請求項３】
収納時、柔軟性のある収納物（雨合羽等）を蝶番使用の蓋を使用することにより蓋を押さえ込むことから収納が可能となる。また、引き出し時にも蓋を収納箱より前部に出しておくことで、無理なく引き出すことが出来るのを特徴とする、請求項１・２に記載の雨具等収納ケース付きカゴ。
【発明の詳細な説明】
【０００１】
【発明が属する技術分野】
本発明は、自動二輪車及び自転車等の前カゴおよび後カゴの底部に、常備用雨具（雨合羽等）や走行時のみに着用する衣類、貴重品等が収納できる引き出し式収納ケースを装備した、雨具等収納ケース付きカゴに関するものである。
【０００２】
【従来の技術】
従来、自動二輪車、自転車等の収納スペースは、自動二輪車ではシート下部に存在するが、ほとんどが前部・後部に取り付けられているカゴに頼っていた。
【０００３】
カゴでの常備用雨具（雨合羽等）の保管、あるいは走行時のみに着用する日焼け予防ブラウス・長手袋等の一時保管は、盗難等の問題から無理であり、乗車後それらを持ち歩かなければいけないのが現状である。
【０００４】
又、自動二輪車のシート下部にある保管スペースは施錠出来ることから常備用雨具（雨合羽等）及び日焼け予防ブラウス・長手袋等の一時保管は可能だが、そもそもそのスペースはヘルメットの保管場所であり、水滴が付く使用直後の雨具（雨合羽等）や、汗等が付託した衣類等を、ヘルメットと共に収納するのは嫌悪感が感じられ、それらの保管スペースとしては不都合である。
【０００５】
【発明が解決しようとする課題】
解決しようとする課題は、自動二輪車・自転車等に、外形を損なわず走行に不安定さをもたせない、盗難等から収納物を守ることの出来る新たな保管収納スペースを作り出す事である。
【０００６】
【課題を解決するための手段】
本発明は、自動二輪車・自転車等の前後に装着するカゴの底部に、引き出し式の収納ケースを設けた雨具等収納ケース付きカゴを提供する。
【０００７】
収納ケースの形状を、カゴ底部の巾、奥行きとほぼ同寸にし、カゴと一体化させる事で、外観に違和感を生じさせず走行に不安定さをもたせない雨具等収納ケース付きカゴを提供する。
【０００８】
収納時、柔軟性のある収納物（雨合羽等）を蝶番使用の蓋を使用することにより蓋を押さえ込むことから収納が可能となる。また、引き出し時にも蓋を収納箱より前部に出しておくことで、無理なく引き出すことが可能となる雨具等収納ケース付きカゴを提供する。
【０００９】
施錠することにより引き出し不可能となるので収納物を盗難から守るため、常備雨具（雨合羽等）を保管する事が出来、夏場の走行時に着用する日焼け予防衣類・長手袋等を到着地において一時保管も出来る。又、走行時において、貴重品を収納し施錠することにより、ひったくり等から貴重品を守ることの出来る雨具等収納ケース付きカゴを提供する。
【００１０】
収納ケースの底部に水抜き穴をあける事により、内部に水が溜まることを防いでいるので、水滴が付く使用直後の雨具（雨合羽等）の収納も可能となり、又、通気性も確保できるので、汗のしみこんだ衣類等も一時保管する事の出来る雨具等収納ケース付きカゴを提供する。
【００１１】
【発明の実施の形態】
以下、本発明の一実施例を図面に基づいて説明する。
【００１２】
図１、図２は本発明を自動二輪車・自転車等の前カゴで採用した本体側面図で、図２は引き出しを少しズライドさせた図である。
【００１３】
従来からある前カゴ１の底部に引き出し式収納ケース６を納める外枠２を設ける事により、カゴと一体化となる引き出し式収納ケースとなる。
【００１４】
引き出し取っ手３をスライドさせることにより、引き出し式収納ケース６から施錠用金具４の先端部分に施してある鍵通し穴１２が外部に出る。その施錠用金具４が骨組み２に引っかかる事により、引き出し式収納ケース６が引き出せなくなる。又、鍵通し穴１２に鍵５を施錠することにより、盗難から収納物を守ることが出来る。
【００１５】
図３は、引き出し式収納ケース６の斜視図である。
【００１６】
引き出し式収納ケース６より前部にやや長い蓋７を蝶番９で取り付ける事により、収納物の引っかかり等が解消され、引き出し式収納ケース６を無理なく引き出すことが可能となる。又、収納物が嵩高になり収納しにくい場合でも、蓋７で押さえ込む事により収納しやすくなる。
【００１７】
引き出し式収納ケース６の底部に水抜き穴８を設ける事により、収納ケース内に雨水等が溜まるのを防ぎ、蒸れ、温度上昇を緩和する。
【００１８】
図４は、引き出し式収納ケース６を納めた外枠２部分の断面図である。
【００１９】
図５は、本発明を自転車１０の前カゴ、後カゴに採用し、装着した側面図である。
【００２０】
前カゴでは、引き出し式収納ケース６の引き出し方向は自転車１０から見る側部側へ、後カゴでは、自転車１０から見る後部へ引き出す。
【００２１】
図６は、引き出し式収納ケース６の引き出し側面透視図である。
【００２２】
取っ手３に繋がってる施錠用金具４を引き出し式収納ケース６の内側に施錠用金具４を平行移動させるために取り付けた器具１１によって上下位置固定させ、取っ手３を横にスライドさせる事により施錠用金具４も横スライドし、施錠用金具４の先端部分に施してある鍵通し穴１２が外部に出る。
【発明の効果】
以上説明したように、本発明は、自動二輪車・自転車等の前後用カゴの底部に、施錠することにより引き出し不可能となる引き出し式収納ケースを設けた収納ケースカゴを提供する事により、外観的に違和感が無く走行に不安定さをもたせず、収納物を盗難から守る事により常備用雨具（雨合羽等）の保管、走行時のみに着用する衣類等の一時保管、走行中の貴重品保管場所として最適である。
【図面の簡単な説明】
【図１】本発明を自動二輪車・自転車等の前カゴで採用した本体側面図である。
【図２】前カゴの引き出しを少しスライドさせた図である。
【図３】引き出し式収納ケースの斜視図である。
【図４】図２の引き出し部分の断面図である。
【図５】本発明を自転車の前カゴ、後カゴに採用し、装着した時の側面図である。
【図６】引き出し式収納ケース６の引き出し側面透視図である。
【符号の説明】
１　自動二輪車、自転車等の前カゴ
２　引き出し式収納ケース６を納める外枠
３　引き出し取っ手
４　施錠用金具
５　鍵
６　引き出し式収納ケース
７　蓋
８　水抜き穴
９　蝶番
１０　自転車
１１　施錠用金具４を平行移動させるために取り付けた器具
１２　施錠用金具４の先端部分に施してある鍵通し穴
【図１】
2004067007.tif 000003
【図２】
2004067007.tif 000004
【図３】
2004067007.tif 000005
【図４】
2004067007.tif 000006
【図５】
2004067007.tif 000007
【図６】
2004067007.tif 000008